(57)【特許請求の範囲】
【請求項１】
１枚の長方形の段ボールシートからなる緩衝枠体であって、該枠体は、底板の両端にそれぞれ縦方向の折り曲げ線を介して第１側壁、天板、第２側壁が順次左右対称に連設され、各第２側壁の端縁には、左右対称に複数の突起が外方に向けて設けられ、前記底板の４隅近傍には、段ボールシートの横辺と平行な横方向の折り曲げ線が設けられ、該折り曲げ線の端縁から一辺が縦方向の折り曲げ線と重なり、末端が前記横方向の折り曲げ線の末端と重なるコの字状の切り込みにより４か所の脚部が左右前後対称に区画され、前記天板の第２側壁寄りには、第２側壁に達する前記横方向の折り曲げ線と同一線上に存在する横方向の切り込みが左右前後対称に４カ所穿設され、該切り込みの先端同士、末端同士はそれぞれ縦方向の第２折り曲げ線で結ばれ、２本の第２折り曲げ線の間には、第２折り曲げ線と平行な谷折り線が設けられ、第２折り曲げ線と谷折り線に挟まれた第２側壁寄りに保持天板、天板寄りに保持側壁を形成させたシートブランクを、
第１側壁、天板ならびに第２側壁をそれぞれ縦方向の折り曲げ線に沿って折り曲げ、第２側壁の端縁に設けられた複数の突起を底板に穿設された切り込みに係止させ側部を形成させると共に、保持天板と保持側壁を谷折り線に沿って谷折りして保持部を形成させ、脚部を横方向の折り曲げ線に沿って立ち上げ、横方向の切り込みに係止させ、
前記保持天板と保持側壁間の縦方向の谷折り線の中間に、コの字状の切り込みにより形成された支持板を設けたことを特徴とする機器類の緩衝枠体。
【請求項２】
前記シートブランクの横方向端縁の少なくとも一辺に、折り曲げ線を介して折り返し部を設け、下面方向に折り返したことを特徴とする請求項１記載の機器類の緩衝枠体。
【発明の詳細な説明】
【０００１】
【発明の属する技術分野】
本発明は、電気機器類等に用いる緩衝枠体に関するものであり、特に、接着剤や治具を使用せずに簡単に組み立てることができ、かつ、使用後は簡単に組立て状態を解いてコンパクトに畳んで廃棄できる段ボール製の電気機器類等の緩衝枠体に関する。
【０００２】
【従来の技術】
段ボール箱の底に段ボール製の緩衝枠体を敷いて、その上に電気機器類を載置する梱包方法が広く用いられている。この場合の緩衝枠体は、段ボールの両端を順次折り曲げて筒状にして載置部を設けたものが一般的で、両端縁を固定していないので組立て状態が定まらず、電気機器類を載置する際、緩衝枠体を手で押さえていなければならず、作業性が良くない。
また、両端縁を接着させて固定したタイプもあるが、接着という作業が必要になるし、また、使用後に枠体を廃棄する際に、接着固定した部分を剥がさないとコンパクトにつぶせないという問題があった。
【０００３】
【発明が解決しようとする課題】
本発明は、段ボール製の緩衝枠体に関する以上のような問題点に着目してなされたもので、接着剤や接着治具を使用せずに、簡単に組立てができ、かつ、梱包時において組立て状態を維持することができ、かつ、使用後は簡単に組立て状態を解いてコンパクトに畳め、廃棄することができる機器類の緩衝枠体を提供することを目的とする。
【０００４】
【課題を解決するための手段】
【０００５】
本発明の第１の発明は、１枚の長方形の段ボールシートからなる緩衝枠体であって、該枠体は、底板の両端にそれぞれ縦方向の折り曲げ線を介して第１側壁、天板、第２側壁が順次左右対称に連設され、各第２側壁の端縁には、左右対称に複数の突起が外方に向けて設けられ、前記底板の４隅近傍には、段ボールシートの横辺と平行な横方向の折り曲げ線が設けられ、該折り曲げ線の端縁から一辺が縦方向の折り曲げ線と重なり、末端が前記横方向の折り曲げ線の末端と重なるコの字状の切り込みにより４か所の脚部が左右前後対称に区画され、前記天板の第２側壁寄りには、第２側壁に達する前記横方向の折り曲げ線と同一線上に存在する横方向の切り込みが左右前後対称に４カ所穿設され、該切り込みの先端同士、末端同士はそれぞれ縦方向の第２折り曲げ線で結ばれ、２本の第２折り曲げ線の間には、第２折り曲げ線と平行な谷折り線が設けられ、第２折り曲げ線と谷折り線に挟まれた第２側壁寄りに保持天板、天板寄りに保持側壁を形成させたシートブランクを、
第１側壁、天板ならびに第２側壁をそれぞれ縦方向の折り曲げ線に沿って折り曲げ、第２側壁の端縁に設けられた複数の突起を底板に穿設された切り込みに係止させ側部を形成させると共に、保持天板と保持側壁を谷折り線に沿って谷折りして保持部を形成させ、脚部を横方向の折り曲げ線に沿って立ち上げ、横方向の切り込みに係止させ、
前記保持天板と保持側壁間の縦方向の谷折り線の中間に、コの字状の切り込みにより形成された支持板を設けたことを特徴とする機器類の緩衝枠体である。
【０００６】
また、第２の発明は、第１の発明において、前記シートブランクの横方向端縁の少なくとも一辺に、折り曲げ線を介して折り返し部を設け、下面方向に折り返したことを特徴とする機器類の緩衝枠体である。
【０００７】
上記のように本発明によれば、底板の両側に巻き込み状の側部を設け、その先端を底板に設けた切り込みに嵌め込んで係止すると共に、脚部により側部を保持するので、安定して機器類を保持できる。
【０００８】
また、底板の両側に巻き込み状の側部を設け、その先端を底板に設けた切り込みに嵌め込んで係止し、かつ、保持部の後端縁も支持板により底板に嵌め込んで係止しているので、側部は底板に固定され、組立て状態を維持することができる。かつ、保持部も支持板により支持されているので機器類を安定して保持することができる。また、使用後は、切り込みから外せば簡単に側部を平らにすることができる。
【０００９】
さらに、シートブランクの横方向端縁に折り返し部を設け、下面方向に折り返すと、緩衝枠体の強度を上げることができる。
【００１０】
【発明の実施の形態】
以下実施例により本発明を詳細に説明する。
図１は、本発明の機器類の緩衝枠体の組立て前のブランクの平面説明図であり、図２は、図１を枠体に組立てた状態を示す斜視説明図である。
【００１１】
本発明の機器類の緩衝枠体は、例えば、図１、図２に示すように、底板１０の両側に連設された第１側壁１１、天板１２、第２側壁１３を巻き込むように折り曲げ、第２側壁１３の先端に設けた係止用の突起１４を底板１０に穿設した切り込みｃ、ｄにはめ込み、側部２０を形成させ、同時に、側部内に切り込みと折り曲げ線によって製品を入れる保持部３０、３０を形成させ、保持部の両側縁に対応する脚部１０１を底板内に設け、側部を組み立てた後、側部の両側縁の切り込みに脚部を立ち上げ、この切り込みと組み合わせるものである。
【００１２】
保持部の形状、寸法は緩衝枠体に載せる製品に応じて自由に設定できる。但し、両側端には切り込みを設けることが必須要件となる。図２においては、側部の両側に第２保持部３１、３１を、片側に第３保持部３２を設けている。
【００１３】
【実施例】
以下に本発明の実施例をさらに具体的に説明する。
〈実施例１〉
【００１４】
図１に示すように、長方形の段ボールシート（シートブランク）の中央部分に底板１０が設けられ、底板の両側にはそれぞれ縦方向の折り曲げ線ａを介して外方に向けて第１側壁１１、天板１２、第２側壁１３が順次左右対称に連設されている。
第２側壁１３の端縁には、左右対称に複数個の係止用の突起１４、１４、…が設けられている。
【００１５】
底板１０の４隅近傍には、横方向の辺と平行な横方向の折り曲げ線ｂが設けられ、この折り曲げ線の端縁から一辺が縦方向の折り曲げ線と重なり、末端が横方向の折り曲げ線ｂの末端と重なるコの字状の切り込みｃが穿設され、脚部１０１を区画している。
【００１６】
さらに底板１０には、側部２０を形成する際、第２側壁の係止用の突起１４が係止可能な位置に切り込みｄが穿設されている。また、切り込みｃも第２側壁の突起１４が係止可能な位置に穿設されている。
【００１７】
天板１２の第２側壁寄りには、第２側壁１３にまで達する横方向の切り込みｅが、横方向の折り曲げ線ｂと同一線上に穿設されている。
【００１８】
切り込みｅの先端同士、末端同士はそれぞれ縦方向の第２折り曲げ線ｆ、ｆで結ばれている。
２本の第２折り曲げ線ｆ、ｆの間には、第２折り曲げ線と平行な谷折り線ｇが設けられ、第２折り曲げ線ｆと谷折り線ｇに挟まれた第２側壁寄りに保持天板１５、天板寄りに保持側壁１６が形成されている。
【００１９】
シートブランクから緩衝枠体への組立ては、つぎのようにして行う。
すなわち、第１側壁１１、天板１２ならびに第２側壁１３をそれぞれ縦方向の折り曲げ線ａに沿って巻き込むように折り曲げ、突起１４を切り込みｃ、ｄにはめ込み係止すると共に、脚部１０１を立ち上げ、横方向の切り込みｅに差し込み、縦方向の折り曲げ線ｆと谷折り線ｇを折り曲げることにより保持天板１５と保持側壁１６とを凹ませて保持部３０とし、実施例１の機器類の緩衝枠体とする。
【００２０】
なお、図１、２に示すように、谷折り線ｇから保持天板側にコの字状の切り込みｈを設け支持板３７を形成し保持側壁１６が底板１０に届くようにすると、保持部に機器類を載置した際、第２側壁１３と保持側壁１５の両方で支えることになり、耐荷重性が増し、安定した保持が可能となる。
【００２１】
また、天板１２の中央部分に一定間隔をおいて２本の横方向の切り込みｉ、ｉを設け、第２保持部３１を作製した。
さらに、天板１２の端縁近傍に一定間隔をおいて２本の横方向の切り込みｊ、ｊを設け、第３保持部３２を作製した。
【００２２】
さらにまた、シートブランクの上下の横辺の端縁近傍に、横方向のシートブランクの横辺と平行な折り曲げ線を設けて、該折り曲げ線より外側を折り返し部４０とし、下面に折り返してから緩衝枠体に組立てると、緩衝枠体の端縁が補強され、枠体の強度を向上させることができる。
【００２３】
組み立てた機器類の緩衝枠体を側部２０が上になるようにして段ボール箱の底に敷いて、その上に製品を載置して密閉し、梱包作業が終了する。
なお、段ボール箱の、例えば、フラップに上述の製品保持部を設けることもできる。
【００２４】
〈実施例２〉
実施例１とは保持部の形状を変更した例である。図３は組立て前の展開説明図であり、図４は組み立てた緩衝枠体の斜視説明図である。構成、組立て方等は基本的には実施例１と同様であるので、詳細な説明は省略する。
【００２５】
【発明の効果】
上記のように本発明によれば、側部は底板に嵌め込みによって固定されているので、組立て状態を維持することができ、作業性が良い。また使用後は、切り込みから突起を外せば容易に側部は分解でき、コンパクトに畳んで廃棄できる。
【図面の簡単な説明】
【図１】本発明の機器類の緩衝枠体に使用する組立て前のシートブランクの一実施例を示す平面説明図である。
【図２】図１のシートブランクを機器類の緩衝枠体に組み立てた状態を示す斜視説明図である。
【図３】本発明の機器類の緩衝枠体の別の展開説明図である。
【図４】図３のシートブランクを機器類の緩衝枠体に組み立てた状態を示す斜視説明図である。
【符号の説明】
１０‥‥底板
１１‥‥第１側壁
１２‥‥天板
１３‥‥第２側壁
１４‥‥突起
１５‥‥保持天板
１６‥‥保持側壁
２０‥‥側部
３０‥‥保持部
３１‥‥第２保持部
３２‥‥第３保持部
３７‥‥支持板
４０‥‥折り返し部
１０１‥‥脚部
ａ、ｆ‥‥縦方向の折り曲げ線
ｂ‥‥横方向の折り曲げ線
ｃ、ｄ‥‥切り込み
ｅ、ｉ、ｊ‥‥横方向の切り込み
ｇ‥‥縦方向の谷折り線
ｈ‥‥コの字状の切り込み
【図１】
0003780757.tif 000002
【図２】
0003780757.tif 000003
【図３】
0003780757.tif 000004
【図４】
0003780757.tif 000005